(57)【特許請求の範囲】
【請求項１】
遊技球が通過可能である特定入賞口を有する遊技機の入賞装置であって、
前記特定入賞口（８０）は回転筒体（２）の頂部であり、この特定入賞口（８０）に入賞の遊技球は前記回転筒体（２）内を流下し、
前記回転筒体（２）の外周に内回転子（３）を固定すると共に、その内回転子（３）の外周に固定子（４）を配設し、
前記固定子（４）に電流を流すと、前記回転筒体（２）と内回転子（３）は、前記回転筒体（２）を軸に回転することを特徴とする遊技機の入賞装置。
【請求項２】
固定子（４）の外周に、外回転子（１４）を固着の外周リング（１２）を回転可能に取り付けてあることを特徴とする請求項１の遊技機の入賞装置。
【発明の詳細な説明】
【０００１】
【発明の属する技術分野】
本発明は、遊技機の入賞装置に関し、特に、回転式入賞装置に関する。
【０００２】
【従来の技術】
従来、遊技機（例えば、パチンコ機）には、多くの回転機構を備える部品が配設してあり、その一例として、回転式入賞装置がある。
この回転式入賞装置は、回転機構を介して、遊技球が入賞し易い状態と入賞し難い状態（或いは、入賞しない状態）に変更可能である。そして、この回転機構の一例として、特定入賞口を備える回転体をモータの回転を歯車を介して回転するものがある。
【０００３】
【発明が解決しようとする課題】
前記したように、回転機構はモータと歯車で構成してあるため設置スペースが大きくなり、この回転機構を備える回転式入賞装置を遊技盤へ取付けると、その大きさによって取付け位置が制限されることになる。
そこで、本発明は、かかる不都合を是正する回転機構を備える回転式入賞装置を提供するものである。
【０００４】
【課題を解決するための手段】
請求項１の遊技機の入賞装置は、遊技球が通過可能である特定入賞口（８０）を有し、その特定入賞口（８０）に入賞した遊技球は回転筒体（２）内を流下する。
又、回転筒体（２）の外周には内回転子（３）が固定されていると共に、その内回転子（３）の外周には固定子（４）が配設されている。
そして、固定子（４）に電流を流すと、前記回転筒体（２）と内回転子（３）は、前記回転筒体（２）を軸に回転する。
即ち、特定入賞口（８０）である回転筒体（２）は、自身を中心に回転する構造であるので、小型化を図ることができる。
又、請求項２の遊技機の入賞装置は、固定子（４）の外周に、外回転子（１４）を固着の外周リング（１２）が回転可能に取り付けてあるので、回転筒体（２）の他に、外周リング（１２）も回転するので他に使用できる。
【０００５】
【発明の実施の形態】
（第１実施の形態）
図１（Ａ）は、本実施の形態における回転機構１Ａの構成部品図、図１（Ｂ）は回転機構の断面図である。尚、回転機構の例として、ステッピングモータを取り上げる。
回転機構１Ａは、遊技球の通過を可能とする回転筒体２、その回転筒体２に嵌合固着の内回転子３、その内回転子３の外周に配置するコイルが巻かれた固定子４、前記回転筒体２を回転可能である内径に形成の貫通孔５ａと前記固定子４を載置する載置台５ｂを備えた円筒状の本体５Ａ、その本体５Ａに被せるカバー６、及び、前記回転筒体２の軸受（含油メタル製）であるリング状の上ブッシュ７ａと下ブッシュ７ｂとで構成してある。尚、本体５Ａには、本実施の形態体では使用しないベアリング止め輪８が形成してある。
そして、前記固定子４の端子４ａから、図示略のパルス分配器を介して電流を流すと、内回転子３と共に回転筒体２が回転し、又、この回転中であっても、遊技球は回転筒体２内を通過できる。
【０００６】
（第２の実施の形態）
本実施の形態における回転機構１Ｂについて図２を参照して説明する。尚、前記第１の実施の形態の回転機構１Ａとほぼ同じ構成であるので、同じ部品には同じ符号を付して説明を略すと共に、異なる点について説明する。
本実施の形態は、ベアリング１０が、本体５Ａに形成のベアリング止め輪８と回転筒体２との間に装着されており、このベアリング１０は回転筒体２に密着嵌合して回転筒体２と一体して回転するインナーロータ１０ａとアウターロータ１０ｂとの間に嵌挿の剛球１０ｃとで構成してある。尚、このベアリング１０の装着によって、上ブッシュ７ａと下ブッシュ７ｂは不要となる。
従って、固定子４に電流を通ずると、回転筒体２はベアリング１０を介して回転するため、円滑な回転が可能となる。
【０００７】
（第３の実施の形態）
本実施の形態における回転機構１Ｃについて、構成部品を示す図３（Ａ）、回転機構の断面を示す図３（Ｂ）を参照して説明する。尚、前記第１実施の形態における回転機構１Ａと同じ部品には同じ符号を付す。
回転機構１Ｃは、遊技球の通過を可能とする回転筒体２、その回転筒体２に嵌合する内回転子３、その内回転子３の外周に配置するコイルが巻かれた固定子４、前記回転筒体２を回転可能である内径の貫通孔５ａと前記固定子４を載置する載置台５ｂ及びベアリング止め輪１１を形成の本体５Ｂ、この本体５Ｂの外周において回転可能な外周リング１２、この外周リング１２に固定の外回転子１４、外周リング１２の上縁に嵌挿のカバー６、及び、前記回転筒体２の軸受（含油メタル製）であるリング状の上ブッシュ７ａと下ブッシュ７ｂで構成してある。
【０００８】
又、前記ベアリング止め輪１１と外周リング１２との間には、ベアリング１３が装着してあり、ベアリング１３は外周リング１２と一体して回転するアウターロータ１３ｂと、インナーロータ１３ａとの間に嵌挿の剛球１３ｃとで構成してある。
そして、前記固定子４に電流を通すと、内回転子３と共に回転筒体２が回転すると共に、外回転子１４（外周リング１２）も回転する。
従って、回転する回転筒体２を特定入賞口にすることもできるし、外周リング１２に「大当たりです」等のメッセージやキャラクター等の絵柄を描き、大当たりのときに回転して、遊技者にその旨を知らせることによって遊技の高揚を図ることができる。
【０００９】
（第４の実施の形態）
本実施の形態における回転機構１Ｄは、図４に示すように、回転機構１Ｃ（第３の実施の形態）における上ブッシュ７ａと下ブッシュ７ｂによる軸受の替りに、回転機構１Ｂ（第２の実施の形態）におけるベアリング１０を付設したものである。
即ち、本体５Ｂに形成のベアリング止め輪８と回転筒体２との間にベアリング１０を装着し、上ブッシュ７ａと下ブッシュ７ｂを不要とする構成である。
本回転機構１Ｄは、前記回転機構１Ｃと同じ効果を有する他に、ベアリング１０の装着によって、回転筒体２はより円滑に回転可能である。
【００１０】
（第５の実施の形態）
本実施の形態における回転機構１Ｅは、図５（Ａ）に示すように、第３の実施の形態における回転機構１Ｃ（図３（Ｂ））とほぼ同じであるが、固定子４が内固定子４Ａと外固定子４Ｂとに分離して構成してある点を異にする。
この回転機構１Ｅにおいて、内固定子４Ａに電流を通ずると内回転子３と共に回転筒体２が回転し、且つ、この回転中であっても、遊技球は回転筒体２を通過可能である。
又、外固定子４Ｂに電流を通ずると外回転子１４（外周リング１２）が回転する。
従って、電流を内固定子４Ａと外固定子４Ｂに選択して流すことによって、回転筒体２と外周リング１２を各々異なる態様（回転速度、回転方向）に回転させることができるので、外周リング１２を前記「大当たりのメッセージ」の表示の他に、多様な表示が行える入賞装置として利用を図ることができると共に、コンパクトな入賞装置として形成できる。
【００１１】
（第６の実施の形態）
本実施の形態における回転機構１Ｆは、図５（Ｂ）に示すように、回転機構１Ｅ（第５の実施の形態）における上ブッシュ７ａと下ブッシュ７ｂによる軸受の変りに、回転機構１Ｂ（第２の実施の形態）におけるベアリング１０を付設したものであるので説明を略す。
この回転機構１Ｆは、回転機構１Ｅと同じ効果を有する他に、ベアリング１０の装着によって、回転筒体２はより円滑に回転可能である。
以上のように、前記回転機構１Ａ〜１Ｆは、特定入賞口として使用できる回転筒体を回転させるので、従来のように、モータとギヤーによる構成でないため、入賞装置等に組み込むに当たって、少ないスペースで形成できる。その結果、入賞装置を遊技盤に取付ける位置の制約が緩和される。
【００１２】
次に、前記回転機構１Ｂを使用する入賞装置１００について説明する。
図６は、遊技機（パチンコ機）の正面図であり、遊技盤９９の中央には入賞装置１００が配置してあり、その詳細正面図を図７、断面図を図８に示す。
この入賞装置１００の下部には、回転機構１Ｂが設置してあり、回転筒体２には、頂部を傾斜状に形成の特定入賞口８０が取り付けてあり、固定子４に電流を流すことによって、約２．３秒で一回、回転し、この回転によって、特定入賞口８０は入賞し易い状態と、し難い状態に変更する。
又、回転筒体２は特定領域１０５に連通し、回転筒体２内を流下する遊技球Ｙは近接スイッチ１２８で検出する。
【００１３】
１０６は、回転機構１Ｂの後上部に配置の停留装置であって、遊技球Ｙを載置可能な停留台１０８は弓状の一対のアーム１０７で支持され、電磁ソレノイド１０７ａの往復動で揺動可能となっていて、常時は、下降状態（図８に示す実線１０８ａの位置）を保持し、電磁ソレノイド１０７ａを励磁するときにはアーム１０７が支軸１０７ｂで回動し、上昇位置（図８に示す破線１０８ｂの位置）となる。
１１３は前本体であり、上部に特別遊技状態中の１ラウンドにおける開閉羽根１１１の残りの開放回数を表示する開放回数表示器１０９が、その下部には、特別遊技状態における１ラウンド中の入賞球数を表示する入賞球数表示器１１０が複数のランプで構成してある。
尚、入賞球数表示器１１０は、入賞装置内に入った入賞球を検出する入賞球検出器（図示略）を介して順次点滅し、遊技者に報知する。
【００１４】
又、前本体１１３の両端部には、開閉羽根１１１が後本体に付設の電磁ソレノイド１１２を介して開閉自在に取り付けてあり、開状態に入った遊技球Ｙは、案内樋１１１ａ、針金で形成の誘導路１１１ｂによって入賞装置内へ誘導され、前記停留台１０８が上昇状態（図８で示す破線１０８ｂの位置）のとき、載置可能となる。尚、１１５は前本体に形成の上部入賞口である。
【００１５】
又、入賞装置１００の左右には、図６に示すように、左肩入賞口１２０ａ、右肩入賞口１２０ｂが配置されている。又、下部中央には普通電動役物の中始動口１２１が設置され、その左右に、左始動口１２２ａ及び右始動口１２２ｂが取着してある。更に、左袖入賞口１２３ａ及び右袖入賞口１２３ｂが配設され、前記左袖入賞口１２３ａにはラウンド回数を表示するラウンド表示器１２４が付設されている。
尚、１３０は遊技球の供給皿、１３１は遊技球の発射ハンドルであり、貯留皿１３２の左部に取り付けの操作具１３３は、遊技者の操作によって、電磁ソレノイド１０７ａを非励磁にできる。
【００１６】
次に、前記入賞装置の作用について説明すると、遊技球が左肩入賞口１２０ａに入ると、所定の遊技球を賞品球として計数排出装置（図示略）を介して供給皿１３０に排出すると共に、中始動口１２１を１秒間の開放を０．５秒間隔で２回実施する。又、左始動口１２２ａ、又は右始動口１２２ｂに遊技球が入賞すると、２秒後に、開閉羽根１１１が０．４秒間開放し、中始動口１２１に入ると、２秒後に、０．４秒間開放状態を０．６秒の間隔で２回行われ、各々、遊技球を入賞装置内に入賞可能にする。
そして、各々の始動口に入って２秒後に、停留装置の停留台１０８は上昇位置となり、開閉羽根１１１から入った遊技球は、案内樋１１１ａ及び誘導路１１１ｂ上を流下し、遊技球の１個は前記停留台１０８に停留可能となる。
一方、回転機構１Ｂは、パルス分配器を介して電流を固定子４に電流を流して、約２．３秒で一回、回転している。
【００１７】
次に、前記電磁ソレノイド１０７ａを介して停留台１０８を下降させると、停留台１０８に停留の遊技球Ｙは落下する。
その時、特定入賞口８０の頂部が、図９に示すように前側にあるときには、遊技球Ｙは、その頂部によって特定入賞口８０に入り、回転筒体２、特定領域１０５を通過して近接スイッチ１２８で検出して、遊技者にとって有利な大当たり（特別遊技状態）となり、開閉羽根１１１が所定時間、所定回数、開成する。
一方、特定入賞口８０の頂部が、図１０に示すように後側にあるときには、遊技球Ｙは特定入賞口８０に入らず、普通入賞口（図示略）に入賞する。
【００１８】
そこで、遊技球が停留台１０８に載ったとき、その停留台１０８を下降させる、即ち、電磁ソレノイド１０７ａを非励磁とするタイミングが重要であると共に、遊技者にとっても興味がある。
そこで、本実施の形態では、操作具１３３を操作することで、電磁ソレノイド１０７ａを非励磁にして、停留台１０８を下降させる。
この操作によって、うまく遊技球が特定入賞口８０に入れば、特定領域１０５に排出されて大当り（特別遊技状態）となって、開閉羽根１１１は所定回数の開放を行い、多量の賞品球の獲得が可能となる。
この様に、遊技者が停留台１０８の下降タイミングを選定できるため、従来に比して、遊技に参加している感覚を持つことができる。
【００１９】
以上のように、入賞装置に回転機構１Ｂを用いることによって、従来、モータとギヤーで回転機構を構成するのに比べて、小型化を図ることができる。
尚、前記では、回転機構１Ｂを採用する入賞装置１００であるが、遊技内容等に従って、その他の回転機構１Ａ、１Ｃ〜１Ｆを選定することは言うまでもないし、回転機構を使用する入賞装置は前記の形式に限定されないし、他の形式の遊技機（スロットマシン等）にも使用可能である。
又、前記における入賞装置１００は、特定入賞口８０を、回転中心の回転筒体２に直上し且つ傾斜状で付設するものであるが、偏心形状に形成して回転させて、入賞し易い位置と、し難い位置に構成してもよい。
又、操作具１３３を単機能として説明したが、パチンコ機の形式によっては、操作具の有効時期を異にしたり、操作具を複数取り付けて、各々異なる機能を持たせるように構成することもできる。更には、ジョイスチックの様に位置と操作釦によって、異なる機能を発揮する操作具であってもよい。
【００２０】
【発明の効果】
本発明の請求項１の遊技機の入賞装置は、回転筒体（２）の頂部に特定入賞口（８０）が形成してあり、この特定入賞口（８０）、即ち、回転筒体（２）は自身を軸に回転する構造であるので、従来のように、特定入賞口を回転させるためにモータとギヤーを組み合せる構成である必要がないため、入賞装置を小型化でき、遊技盤の取付け位置が緩和される。
又、請求項２の遊技機の入賞装置は、回転可能な外周リングが取り付けてあるため、その利用を図ることができる。
【図面の簡単な説明】
【図１】（Ａ）は第１の実施の形態の回転機構の構成部品、（Ｂ）は断面図である。
【図２】第２の実施の形態の回転機構の断面図である。
【図３】（Ａ）は第３の実施の形態の回転機構の構成部品、（Ｂ）は断面図である。
【図４】第４の実施の形態の回転機構の断面図である。
【図５】（Ａ）は第５の実施の形態の回転機構の断面図、（Ｂ）は第６の実施の形態の回転機構の断面図である。
【図６】遊技機（パチンコ機）の正面図である。
【図７】入賞装置の拡大正面図である。
【図８】入賞装置の側断面図である。
【図９】入賞装置の作用を説明する図である。
【図１０】入賞装置の作用を説明する図である。
【符号の説明】
１Ａ〜１Ｆ  回転機構
２  回転筒体
３  内回転子
４  固定子
４Ａ  内固定子
４Ｂ  外固定子
５Ａ、５Ｂ  本体
１２  外周リング
１４  外回転子
８０  特定入賞口
【図１】
0004120028.tif 000002
【図２】
0004120028.tif 000003
【図３】
0004120028.tif 000004
【図４】
0004120028.tif 000005
【図５】
0004120028.tif 000006
【図６】
0004120028.tif 000007
【図７】
0004120028.tif 000008
【図８】
0004120028.tif 000009
【図９】
0004120028.tif 000010
【図１０】
0004120028.tif 000011